(57)【要約】【課題】トラバースシャーシの強度を十分に確保しながら、トラバースシャーシを小型化することができる光ディスク装置を提供する。【解決手段】ローダ本体１４と、ローダ本体１４に対して昇降可能に設けられたトラバースシャーシ１８と、トラバースシャーシ１８の支持領域４４に支持されたステッピングモータ５０と、ステッピングモータ５０により回転されるリードスクリュー５２と、トラバースシャーシ１８の支持領域６０に支持された第１のガイド軸６２と、リードスクリュー５２の回転によって、第１のガイド軸６２に沿って移動可能な光ピックアップ６８と、を備え、トラバースシャーシ１８は、さらに、支持領域４４と支持領域６０とを相互に接続する接続壁部８８を有しており、接続壁部８８は、支持領域４４から支持領域６０に向けて延び、且つ、リードスクリュー５２と略平行に延びている。【選択図】図４
2014216036.tif 000002
【特許請求の範囲】
【請求項１】
ローダ本体と、
前記ローダ本体に対して昇降可能に設けられ、且つ、第１の支持領域及び前記第１の支持領域よりも上方に配置された第２の支持領域を有するトラバースシャーシと、
前記トラバースシャーシの前記第１の支持領域に支持された駆動源と、
前記駆動源により回転されるリードスクリューと、
前記トラバースシャーシの前記第２の支持領域に支持され、且つ、前記リードスクリューと略平行に延びるガイド軸と、
前記リードスクリューの回転によって、前記ガイド軸に沿って移動可能な光ピックアップと、を備え、
前記トラバースシャーシは、さらに、前記第１の支持領域と前記第２の支持領域とを相互に接続する接続壁部を有しており、
前記接続壁部は、前記第１の支持領域から前記第２の支持領域に向けて延び、且つ、前記リードスクリューと略平行に延びている
光ディスク装置。
【請求項２】
前記接続壁部は、前記第１の支持領域及び前記第２の支持領域の各々に対して略垂直に延びている
請求項１に記載の光ディスク装置。
【請求項３】
前記トラバースシャーシは板金で形成されており、
前記接続壁部は、前記板金の曲げ加工により形成されている
請求項１又は２に記載の光ディスク装置。
【請求項４】
前記接続壁部の曲げ深さは、前記トラバースシャーシの厚みの３倍以上であり、且つ、前記駆動源の厚み以下である
請求項３に記載の光ディスク装置。
【請求項５】
ローダ本体と、
前記ローダ本体に対して昇降可能に設けられ、且つ、第１の支持領域並びに前記第１の支持領域よりも上方に配置された第２の支持領域及び第３の支持領域を有するトラバースシャーシと、
前記トラバースシャーシの前記第１の支持領域に支持された駆動源と、
前記駆動源により回転され、且つ、光ディスクを載せるためのターンテーブルと、
前記トラバースシャーシの前記第２の支持領域に支持された第１のガイド軸と、
前記トラバースシャーシの前記第３の支持領域に支持され、且つ、前記第１のガイド軸と略平行に延びる第２のガイド軸と、
前記第１のガイド軸及び前記第２のガイド軸に沿って移動可能な光ピックアップと、を備え、
前記トラバースシャーシは、さらに、
前記第１の支持領域から前記第２の支持領域に向けて延び、且つ、前記第１の支持領域と前記第２の支持領域とを相互に接続する第１の接続壁部と、
前記第１の支持領域から前記第３の支持領域に向けて延び、且つ、前記第１の支持領域と前記第３の支持領域とを相互に接続する第２の接続壁部と、を有する
光ディスク装置。
【請求項６】
前記第１の接続壁部は、前記第１の支持領域及び前記第２の支持領域の各々に対して傾斜して延びており、
前記第２の接続壁部は、前記第１の支持領域及び前記第３の支持領域の各々に対して傾斜して延びている
請求項５に記載の光ディスク装置。
【請求項７】
前記第１の接続壁部は、前記第１の支持領域を挟んで前記第２の接続壁部と反対側に配置されている
請求項５又は６に記載の光ディスク装置。
【請求項８】
前記トラバースシャーシは板金で形成されており、
前記第１の接続壁部及び前記第２の接続壁部はそれぞれ、前記板金の絞り加工又は曲げ加工により形成されている
請求項５〜７のいずれか１項に記載の光ディスク装置。
【発明の詳細な説明】
【技術分野】
【０００１】
本発明は、光ディスクに記録された情報の再生又は光ディスクへの情報の記録を行うための光ディスク装置に関する。
【背景技術】
【０００２】
光ディスクに記録された情報の再生又は光ディスクへの情報の記録を行うための光ディスク装置が知られている（例えば、特許文献１参照）。光ディスク装置は、ローダ本体と、ローダ本体に対して昇降可能に設けられたトラバースシャーシと、を備えている。トラバースシャーシには、ターンテーブルを回転させるためのスピンドルモータ、光ディスクにレーザ光を照射する光ピックアップ及び光ピックアップを移動させるためのステッピングモータ等が支持されている。
【０００３】
近年、光ディスク装置全体を小型化することが要望されている。このような要望に応えるためには、例えば、トラバースシャーシを小型化する必要がある。トラバースシャーシを小型化するためには、トラバースシャーシのサイズを小さくするとともに、トラバースシャーシの厚みを小さくする方法が考えられる。
【先行技術文献】
【特許文献】
【０００４】
【特許文献１】特開２０１１−１４１９３８号公報
【発明の概要】
【発明が解決しようとする課題】
【０００５】
しかしながら、上述したようにトラバースシャーシを小型化した場合には、トラバースシャーシの強度を十分に確保することができないという課題が生じる。そのため、スピンドルモータ及びステッピングモータ等をトラバースシャーシに支持させた際には、スピンドルモータ及びステッピングモータ等の重量によって、トラバースシャーシが変形するおそれがある。
【０００６】
本発明は、上述した課題を解決しようとするものであり、その目的は、トラバースシャーシの強度を十分に確保しながら、トラバースシャーシを小型化することができる光ディスク装置を提供することである。
【課題を解決するための手段】
【０００７】
上記目的を達成するために、本発明の一態様に係る光ディスク装置は、ローダ本体と、前記ローダ本体に対して昇降可能に設けられ、且つ、第１の支持領域及び前記第１の支持領域よりも上方に配置された第２の支持領域を有するトラバースシャーシと、前記トラバースシャーシの前記第１の支持領域に支持された駆動源と、前記駆動源により回転されるリードスクリューと、前記トラバースシャーシの前記第２の支持領域に支持され、且つ、前記リードスクリューと略平行に延びるガイド軸と、前記リードスクリューの回転によって、前記ガイド軸に沿って移動可能な光ピックアップと、を備え、前記トラバースシャーシは、さらに、前記第１の支持領域と前記第２の支持領域とを相互に接続する接続壁部を有しており、前記接続壁部は、前記第１の支持領域から前記第２の支持領域に向けて延び、且つ、前記リードスクリューと略平行に延びている。
【０００８】
本態様によれば、駆動源が支持された第１の支持領域は、接続壁部を介して第２の支持領域に接続されている。これにより、駆動源が支持されるトラバースシャーシの部位の強度を高めることができるので、トラバースシャーシを小型化した場合であっても、駆動源等の重量によってトラバースシャーシが変形するのを抑制することができる。従って、トラバースシャーシの強度を十分に確保しながら、トラバースシャーシを小型化することができる。
【０００９】
例えば、本発明の一態様に係る光ディスク装置において、前記接続壁部は、前記第１の支持領域及び前記第２の支持領域の各々に対して略垂直に延びているように構成してもよい。
【００１０】
本態様によれば、接続壁部は、第１の支持領域及び第２の支持領域の各々に対して略垂直に延びているので、トラバースシャーシの強度をより効果的に高めることができる。
【００１１】
例えば、本発明の一態様に係る光ディスク装置において、前記トラバースシャーシは板金で形成されており、前記接続壁部は、前記板金の曲げ加工により形成されているように構成してもよい。
【００１２】
本態様によれば、接続壁部を板金の曲げ加工により形成することができる。
【００１３】
例えば、本発明の一態様に係る光ディスク装置において、前記接続壁部の曲げ深さは、前記トラバースシャーシの厚みの３倍以上であり、且つ、前記駆動源の厚み以下であるように構成してもよい。
【００１４】
本態様によれば、接続壁部の曲げ深さは、トラバースシャーシの厚みの３倍以上であり、且つ、駆動源の厚み以下であるので、トラバースシャーシの小型化を実現しながら、トラバースシャーシの強度を十分に高めることができる。
【００１５】
さらに、本発明の一態様に係る光ディスク装置は、ローダ本体と、前記ローダ本体に対して昇降可能に設けられ、且つ、第１の支持領域並びに前記第１の支持領域よりも上方に配置された第２の支持領域及び第３の支持領域を有するトラバースシャーシと、前記トラバースシャーシの前記第１の支持領域に支持された駆動源と、前記駆動源により回転され、且つ、光ディスクを載せるためのターンテーブルと、前記トラバースシャーシの前記第２の支持領域に支持された第１のガイド軸と、前記トラバースシャーシの前記第３の支持領域に支持され、且つ、前記第１のガイド軸と略平行に延びる第２のガイド軸と、前記第１のガイド軸及び前記第２のガイド軸に沿って移動可能な光ピックアップと、を備え、前記トラバースシャーシは、さらに、前記第１の支持領域から前記第２の支持領域に向けて延び、且つ、前記第１の支持領域と前記第２の支持領域とを相互に接続する第１の接続壁部と、前記第１の支持領域から前記第３の支持領域に向けて延び、且つ、前記第１の支持領域と前記第３の支持領域とを相互に接続する第２の接続壁部と、を有する。
【００１６】
本態様によれば、駆動源が支持された第１の支持領域は、第１の接続壁部を介して第２の支持領域に接続され、且つ、第２の接続壁部を介して第３の支持領域に接続されている。これにより、駆動源が支持されるトラバースシャーシの部位の強度を高めることができるので、トラバースシャーシを小型化した場合であっても、駆動源等の重量によってトラバースシャーシが変形するのを抑制することができる。従って、トラバースシャーシの強度を十分に確保しながら、トラバースシャーシを小型化することができる。
【００１７】
例えば、本発明の一態様に係る光ディスク装置において、前記第１の接続壁部は、前記第１の支持領域及び前記第２の支持領域の各々に対して傾斜して延びており、前記第２の接続壁部は、前記第１の支持領域及び前記第３の支持領域の各々に対して傾斜して延びているように構成してもよい。
【００１８】
本態様によれば、第１の接続壁部及び第２の接続壁部の各々は傾斜して延びているので、駆動源を配置するための空間を容易に確保することができる。
【００１９】
例えば、本発明の一態様に係る光ディスク装置において、前記第１の接続壁部は、前記第１の支持領域を挟んで前記第２の接続壁部と反対側に配置されているように構成してもよい。
【００２０】
本態様によれば、第１の接続壁部は、第１の支持領域を挟んで第２の接続壁部と反対側に配置されているので、トラバースシャーシの変形をより効果的に抑制することができる。
【００２１】
例えば、本発明の一態様に係る光ディスク装置において、前記トラバースシャーシは板金で形成されており、前記第１の接続壁部及び前記第２の接続壁部はそれぞれ、前記板金の絞り加工又は曲げ加工により形成されているように構成してもよい。
【００２２】
本態様によれば、第１の接続壁部及び第２の接続壁部をそれぞれ、板金の絞り加工又は曲げ加工により形成することができる。
【発明の効果】
【００２３】
本発明の一態様に係る光ディスク装置によれば、トラバースシャーシの強度を十分に確保しながら、トラバースシャーシを小型化することができる。
【図面の簡単な説明】
【００２４】
【図１】実施の形態１に係る光ディスク装置の外観を示す斜視図である。
【図２】実施の形態１に係る光ディスク装置のローダユニットを示す平面図である。
【図３Ａ】光ディスクのクランプが解除されている状態での、図２中のＡ−Ａ線により切断したローダユニット及びディスクトレイを示す概略断面図である。
【図３Ｂ】光ディスクがクランプされている状態での、図２中のＡ−Ａ線により切断したローダユニット及びディスクトレイを示す概略断面図である。
【図４】トラバースユニットを示す斜視図である。
【図５】トラバースユニットの一部を分解した状態を示す斜視図である。
【図６】図４中のＢ−Ｂ線により切断したトラバースユニットを示す要部断面図である。
【図７】図４中のＣ−Ｃ線により切断したトラバースユニットを示す要部断面図である。
【図８】実施の形態２に係る光ディスク装置のトラバースユニットを示す要部断面図である。
【発明を実施するための形態】
【００２５】
以下、実施の形態に係る光ディスク装置について、図面を用いて詳細に説明する。なお、以下で説明する実施の形態は、いずれも本発明の好ましい一具体例を示すものである。以下の実施の形態で示される数値、形状、材料、構成要素、構成要素の配置位置及び接続形態等は、一例であり、本発明を限定する主旨ではない。本発明は、特許請求の範囲によって特定される。よって、以下の実施の形態における構成要素のうち、独立請求項に記載されていない構成要素については、本発明の課題を達成するのに必ずしも必要ではないが、より好ましい形態を構成するものとして説明される。
【００２６】
（実施の形態１）
［光ディスク装置の全体構成］
まず、図１〜図３Ｂを参照しながら、実施の形態１に係る光ディスク装置の全体構成について説明する。図１は、実施の形態１に係る光ディスク装置の外観を示す斜視図である。図２は、実施の形態１に係る光ディスク装置のローダユニットを示す平面図である。図３Ａは、光ディスクのクランプが解除されている状態での、図２中のＡ−Ａ線により切断したローダユニット及びディスクトレイを示す概略断面図である。図３Ｂは、光ディスクがクランプされている状態での、図２中のＡ−Ａ線により切断したローダユニット及びディスクトレイを示す概略断面図である。なお、説明の都合上、図３Ａ及び図３Ｂでは、後述する光ピックアップ６８等の図示を省略してある。
【００２７】
図１に示すように、光ディスク装置２は、例えば、光ディスク４（図３Ａ及び図３Ｂ参照）に記録された情報の再生及び光ディスク４への情報の記録を行うためのブルーレイディスク（ＢＤ：Ｂｌｕ−ｒａｙ（登録商標）  Ｄｉｓｃ）レコーダである。なお、光ディスク４は、例えば、ブルーレイディスク、デジタル多用途ディスク（ＤＶＤ：Ｄｉｇｉｔａｌ  Ｖｅｒｓａｔｉｌｅ  Ｄｉｓｃ）又はコンパクトディスク（ＣＤ：Ｃｏｍｐａｃｔ  Ｄｉｓｃ）である。
【００２８】
光ディスク装置２の筐体６には、ディスクトレイ８と、ディスクトレイ８の下側に配置されたローダユニット１０とが搭載されている。これらディスクトレイ８及びローダユニット１０の各々の構成については、後述する。
【００２９】
［ディスクトレイの構成］
次に、図１、図３Ａ及び図３Ｂを参照しながら、ディスクトレイ８の構成について説明する。図１、図３Ａ及び図３Ｂに示すように、ディスクトレイ８は、光ディスク４を載置するためのものである。ディスクトレイ８の底部には、開口部８ａが設けられている。ディスクトレイ８は、筐体６の内部に設けられた駆動機構（図示せず）によって、Ｙ軸方向に往復移動可能である。具体的には、ディスクトレイ８は、筐体６の外部に引き出される引出し位置と、筐体６の内部に収納される収納位置との間を往復移動可能である。ディスクトレイ８が引出し位置に移動することにより、光ディスク４をディスクトレイ８に載置する（又は、光ディスク４をディスクトレイ８から取り出す）ことができる。
【００３０】
なお、図３Ａ及び図３Ｂに示すように、筐体６の内部において、ディスクトレイ８の上側には、光ディスク４をクランプするためのクランパ１２が配置されている。
【００３１】
［ローダユニットの構成］
次に、図２〜図５を参照しながら、ローダユニット１０の構成について説明する。図４は、トラバースユニットを示す斜視図である。図５は、トラバースユニットの一部を分解した状態を示す斜視図である。
【００３２】
図２〜図３Ｂに示すように、ローダユニット１０は、ローダ本体１４と、ローダ本体１４に対して昇降可能に設けられたトラバースユニット１６と、を備えている。
【００３３】
トラバースユニット１６は、例えば鉄（ＳＥＣＣ：Ｓｔｅｅｌ  Ｅｌｅｃｔｒｉｃａｌｌｙ  Ｃｈｒｏｍａｔｅ  Ｃｏａｔｅｄ）等の板金で形成されたトラバースシャーシ１８を有している。トラバースシャーシ１８の後端部１８ａは、一対のネジ２０によりローダ本体１４に取り付けられている。トラバースシャーシ１８の後端部１８ａとローダ本体１４との間には、例えばゴム等で形成された一対のダンパー２２が介在されている。一対のダンパー２２の緩衝作用によって、トラバースシャーシ１８の先端部１８ｂは、トラバースシャーシ１８の後端部１８ａを中心としてＺ軸方向に昇降可能である。
【００３４】
トラバースシャーシ１８は、ローダ本体１４に設けられた昇降機構によって、ディスクトレイ８の動作と連動してＺ軸方向に昇降可能である。具体的には、トラバースシャーシ１８は、ディスクトレイ８の上記収納位置への移動に連動して、ローダ本体１４に対して図３Ａ中の矢印Ｍで示す方向に上昇する。また、トラバースシャーシ１８は、ディスクトレイ８の上記引出し位置への移動に連動して、ローダ本体１４に対して図３Ｂ中の矢印Ｎで示す方向に下降する。
【００３５】
なお、図２に示すように、上述した昇降機構は、モータ２４、第１の駆動ギア２６、第２の駆動ギア２８及びカムスライダ３０で構成されている。モータ２４の回転駆動力は、第１の駆動ギア２６及び第２の駆動ギア２８を介して、カムスライダ３０に伝達される。これにより、カムスライダ３０は、図２中の矢印Ｖ及び矢印Ｗで示す方向に往復移動される。カムスライダ３０が図２中の矢印Ｗで示す方向に移動した際には、トラバースシャーシ１８は、図３Ａ中の矢印Ｍで示す方向に上昇する。カムスライダ３０が図２中の矢印Ｖで示す方向に移動した際には、トラバースシャーシ１８は、図３Ｂ中の矢印Ｎで示す方向に下降する。
【００３６】
図４及び図５に示すように、トラバースシャーシ１８の支持領域３２（第１の支持領域を構成する）には、スピンドルモータ３４（駆動源を構成する）が支持されている。支持領域３２はＸＹ平面と略平行に延びており、支持領域３２には、複数の貫通孔３２ａ及び開口部３２ｂが設けられている。ネジ３６は、複数の貫通孔３２ａの各々を通して、スピンドルモータ３４の底部に設けられた複数のネジ孔（図示せず）の各々に締結されている。これにより、スピンドルモータ３４は、トラバースシャーシ１８の支持領域３２にネジ止めされている。なお、スピンドルモータ３４の底部に設けられた突起３８が開口部３２ｂに挿入されることにより、スピンドルモータ３４が支持領域３２に対して位置決めされている。
【００３７】
スピンドルモータ３４の出力軸４０には、光ディスク４を載せるためのターンテーブル４２が取り付けられている。ターンテーブル４２は、スピンドルモータ３４によって回転される。
【００３８】
図３Ｂに示すように、トラバースシャーシ１８がローダ本体１４に対して上昇した際には、ターンテーブル４２は、開口部８ａを通してディスクトレイ８の底部よりも上側に位置する。これにより、光ディスク４がターンテーブル４２によってディスクトレイ８から持ち上げられるので、クランパ１２は、ターンテーブル４２との間で光ディスク４をクランプする。この状態で、ターンテーブル４２がスピンドルモータ３４によって回転することにより、光ディスク４がターンテーブル４２と一体に回転される。
【００３９】
一方、図３Ａに示すように、トラバースシャーシ１８がローダ本体１４に対して下降した際には、ターンテーブル４２は、ディスクトレイ８の底部よりも下側に位置する。これにより、クランパ１２は光ディスク４のクランプを解除するので、光ディスク４は、ディスクトレイ８に再度載置される。
【００４０】
図２、図４及び図５に示すように、トラバースシャーシ１８の支持領域４４（第１の支持領域を構成する）には、モータユニット４６が支持されている。支持領域４４は、ＸＹ平面と略平行に延びており、上述した支持領域３２と略同一平面上に位置している。支持領域４４には、一対のネジ孔４４ａが設けられている。
【００４１】
モータユニット４６は、フレーム４８と、フレーム４８に支持されたステッピングモータ５０と、を有している。ステッピングモータ５０の出力軸（図示せず）には、リードスクリュー５２が取り付けられている。リードスクリュー５２は、その長手方向が光ディスク４の径方向（すなわち、Ｙ軸方向）に対して略平行となるように配置されている。リードスクリュー５２の外周面には、その長手方向に沿って螺旋状に延びる溝部５４が設けられている。さらに、リードスクリュー５２の先端部は、フレーム４８の一端部に設けられた軸受け部５６に回転自在に支持されている。リードスクリュー５２は、ステッピングモータ５０によって、図２中の矢印Ｐ及び矢印Ｑで示す方向に正逆回転可能である。
【００４２】
フレーム４８には、一対の貫通孔４８ａが設けられている。ネジ５８は、一対の貫通孔４８ａの各々を通して、支持領域４４に設けられた一対のネジ孔４４ａの各々に締結されている。これにより、モータユニット４６は、トラバースシャーシ１８の支持領域４４にネジ止めされている。
【００４３】
さらに、トラバースシャーシ１８の支持領域６０（第２の支持領域を構成する）には、第１のガイド軸６２（ガイド軸を構成する）が支持されている。トラバースシャーシ１８の支持領域６４（第３の支持領域を構成する）には、第２のガイド軸６６が支持されている。支持領域６０及び支持領域６４はそれぞれ、ＸＹ平面と略平行に延びており、略同一平面上に位置している。支持領域６０及び支持領域６４の各々は、支持領域３２及び支持領域４４よりも上方に配置されている。
【００４４】
第１のガイド軸６２及び第２のガイド軸６６は、互いに略平行に且つ間隔を置いて配置されている。第１のガイド軸６２及び第２のガイド軸６６の各々は、リードスクリュー５２の長手方向に対して略平行に延びている。これら第１のガイド軸６２及び第２のガイド軸６６には、光ディスク４に記録された情報の読み出し及び光ディスク４への情報の書き込みを行うための光ピックアップ６８がＹ軸方向に往復移動可能に支持されている。
【００４５】
光ピックアップ６８の第１のガイド軸６２側における端部には、一対の第１の軸受け部７０ａ，７０ｂが設けられている。光ピックアップ６８の第２のガイド軸６６側における端部には、第２の軸受け部７２が設けられている。一対の第１の軸受け部７０ａ，７０ｂの各々は、第１のガイド軸６２に往復移動可能に支持されている。第２の軸受け部７２は、第２のガイド軸６６に往復移動可能に支持されている。これにより、光ピックアップ６８は、第１のガイド軸６２及び第２のガイド軸６６に沿って、図２中の矢印Ｔ及び矢印Ｕで示す方向に往復移動可能である。
【００４６】
光ピックアップ６８には、ＢＤ用の光学系と、ＤＶＤ及びＣＤ用の光学系とが設けられている。光ディスク４がＢＤである場合には、ＢＤ用の光学系が用いられ、光ディスク４がＤＶＤ又はＣＤである場合には、ＤＶＤ及びＣＤ用の光学系が用いられる。
【００４７】
ＢＤ用の光学系は、第１の光源（図示せず）、第１の対物レンズ７４及び第１の受光部（図示せず）を含んでいる。第１の光源は、ＢＤ用のレーザ光（例えば、波長４０５ｎｍ帯のレーザ光）を出力する。第１の対物レンズ７４は、第１の光源からのレーザ光を、ディスクトレイ８の開口部８ａを通して光ディスク４の情報記録面に集光する。第１の受光部は、光ディスク４の情報記録面で反射されたレーザ光を、ディスクトレイ８の開口部８ａを通して受光する。
【００４８】
ＤＶＤ及びＣＤ用の光学系は、第２の光源（図示せず）、第２の対物レンズ７６及び第２の受光部（図示せず）を含んでいる。第２の光源は、ＤＶＤ用のレーザ光（例えば、波長６５０ｎｍ帯のレーザ光）とＣＤ用のレーザ光（例えば、波長７８０ｎｍ帯のレーザ光）とを切り替えて出力する。第２の対物レンズ７６は、第２の光源からのレーザ光を、ディスクトレイ８の開口部８ａを通して光ディスク４の情報記録面に集光する。第２の受光部は、光ディスク４の情報記録面で反射されたレーザ光を、ディスクトレイ８の開口部８ａを通して受光する。
【００４９】
光ピックアップ６８には、リードスクリュー５２の回転運動を光ピックアップ６８の直線運動に変換するためのラック部７８が取り付けられている。ラック部７８は、取付部８０、移動部８２及び一対の接続部８４を有している。
【００５０】
取付部８０は、ネジ８６により光ピックアップ６８に取り付けられている。移動部８２は、リードスクリュー５２に往復移動可能に装着されている。移動部８２は、一対の接続部８４を介して取付部８０に接続されている。移動部８２の内面には、リードスクリュー５２の溝部５４に嵌め合わされた爪部（図示せず）が設けられている。リードスクリュー５２が回転することにより、爪部は、リードスクリュー５２の溝部５４に沿って移動する。これにより、移動部８２は、リードスクリュー５２の長手方向に沿って移動する。
【００５１】
リードスクリュー５２が図２中の矢印Ｑで示す方向に回転する際には、移動部８２は、図２中の矢印Ｒで示す方向にリードスクリュー５２に沿って移動する。この移動部８２の移動に伴って、光ピックアップ６８は、図２中の矢印Ｔで示す方向に、光ディスク４の内周部から外周部に向けて直線的に移動する。
【００５２】
一方、リードスクリュー５２が図２中の矢印Ｐで示す方向に回転する際には、移動部８２は、図２中の矢印Ｓで示す方向にリードスクリュー５２に沿って移動する。この移動部８２の移動に伴って、光ピックアップ６８は、図２中の矢印Ｕで示す方向に、光ディスク４の外周部から内周部に向けて直線的に移動する。
【００５３】
［トラバースシャーシの構成］
次に、図４〜図７を参照しながら、本実施の形態の光ディスク装置２の特徴である、トラバースシャーシ１８の構成について説明する。図６は、図４中のＢ−Ｂ線により切断したトラバースユニットを示す要部断面図である。図７は、図４中のＣ−Ｃ線により切断したトラバースユニットを示す要部断面図である。
【００５４】
上述したように、トラバースシャーシ１８は、モータユニット４６が支持される支持領域４４と、第１のガイド軸６２が支持される支持領域６０と、を有している。図５及び図６に示すように、トラバースシャーシ１８は、さらに、支持領域４４と支持領域６０とを相互に接続する接続壁部８８を有している。接続壁部８８は、支持領域４４から支持領域６０に向けて延び、且つ、リードスクリュー５２と略平行に延びている。接続壁部８８は、さらに、支持領域４４及び支持領域６０の各々に対して略垂直に延びている。
【００５５】
接続壁部８８は、板金の曲げ加工により形成されている。接続壁部８８の曲げ深さＤは、例えば、トラバースシャーシ１８の厚みｄ１（例えば、約１〜２ｍｍ）の３倍以上であり、且つ、ステッピングモータ５０の厚みｄ２（例えば、約１０〜２０ｍｍ）以下である。より好ましくは、接続壁部８８の曲げ深さＤは、トラバースシャーシ１８の厚みｄ１の４倍以上であり、且つ、ステッピングモータ５０の厚みｄ２以下である。接続壁部８８の曲げ深さＤがトラバースシャーシ１８の厚みｄ１の３倍よりも小さい場合には、トラバースシャーシ１８の強度を十分に確保することが難しく、接続壁部８８の曲げ深さＤがステッピングモータ５０の厚みｄ２よりも大きい場合には、トラバースシャーシ１８の小型化を図ることが難しい。
【００５６】
また、上述したように、トラバースシャーシ１８は、スピンドルモータ３４が支持される支持領域３２と、第１のガイド軸６２が支持される支持領域６０と、第２のガイド軸６６が支持される支持領域６４と、を有している。図５及び図７に示すように、トラバースシャーシ１８は、さらに、支持領域３２と支持領域６０とを相互に接続する接続壁部９０（第１の接続壁部を構成する）と、支持領域３２と支持領域６４とを相互に接続する接続壁部９２（第２の接続壁部を構成する）と、を有している。接続壁部９０は、支持領域３２から支持領域６０に向けて延び、且つ、支持領域３２及び支持領域６０の各々に対して傾斜して延びている。接続壁部９２は、支持領域３２から支持領域６４に向けて延び、且つ、支持領域３２及び支持領域６４の各々に対して傾斜して延びている。さらに、接続壁部９０は、支持領域３２を挟んで接続壁部９２と反対側に配置されている。本実施の形態では、接続壁部９０及び接続壁部９２はそれぞれ、板金の絞り加工により形成されている。
【００５７】
［効果］
次に、本実施の形態の光ディスク装置２により得られる効果について説明する。上述したように、モータユニット４６が支持された支持領域４４は、接続壁部８８を介して支持領域６０に接続されている。さらに、スピンドルモータ３４が支持された支持領域３２は、接続壁部９０を介して支持領域６０に接続されるとともに、接続壁部９２を介して支持領域６４に接続されている。これにより、トラバースシャーシ１８の強度を高めることができるので、トラバースシャーシ１８を小型化した場合であっても、モータユニット４６及びスピンドルモータ３４等の重量によってトラバースシャーシ１８が変形（例えば、図４中の矢印Ｈで示す方向の撓み変形）するのを抑制することができる。従って、本実施の形態の光ディスク装置２では、トラバースシャーシ１８の強度を十分に確保しながら、トラバースシャーシ１８を小型化することができる。
【００５８】
（実施の形態２）
次に、図８を参照しながら、実施の形態２に係る光ディスク装置の構成について説明する。図８は、実施の形態２に係る光ディスク装置のトラバースユニットを示す要部断面図である。なお、本実施の形態において、上記実施の形態１と同一の構成要素には同一の符号を付して、その説明を省略する。
【００５９】
本実施の形態の光ディスク装置のトラバースシャーシ１８Ａでは、接続壁部９０Ａ及び接続壁部９２Ａはそれぞれ、板金の曲げ加工により形成されている。接続壁部９０Ａは、支持領域３２及び支持領域６０の各々に対して略垂直に延びている。接続壁部９２Ａは、支持領域３２及び支持領域６４の各々に対して略垂直に延びている。従って、本実施の形態においても、上記実施の形態１と同様の効果を得ることができる。
【００６０】
以上、本発明の実施の形態１及び２に係る光ディスク装置について説明したが、本発明は、これらの実施の形態に限定されるものではない。例えば、上記各実施の形態を組み合わせるようにしてもよい。
【００６１】
上記各実施の形態では、光ディスク装置はブルーレイディスクレコーダであるが、これに限定されず、例えば光ディスクに記録された情報の再生を行うためのブルーレイディスクプレーヤでもよい。あるいは、光ディスク装置は、例えばＤＶＤレコーダ、ＤＶＤプレーヤ又はＣＤプレーヤ等でもよい。
【産業上の利用可能性】
【００６２】
本発明の光ディスク装置は、例えば、ブルーレイディスクレコーダ等として適用することができる。
【符号の説明】
【００６３】
２  光ディスク装置
４  光ディスク
６  筐体
８  ディスクトレイ
１０  ローダユニット
１２  クランパ
１４  ローダ本体
１６  トラバースユニット
１８，１８Ａ  トラバースシャーシ
１８ａ  後端部
１８ｂ  先端部
２０，３６，５８，８６  ネジ
２２  ダンパー
２４  モータ
２６  第１の駆動ギア
２８  第２の駆動ギア
３０  カムスライダ
３２，４４，６０，６４  支持領域
３２ａ，４８ａ  貫通孔
３２ｂ  開口部
３４  スピンドルモータ
３８  突起
４０  出力軸
４２  ターンテーブル
４４ａ  ネジ孔
４６  モータユニット
４８  フレーム
５０  ステッピングモータ
５２  リードスクリュー
５４  溝部
５６  軸受け部
６２  第１のガイド軸
６６  第２のガイド軸
６８  光ピックアップ
７０ａ，７０ｂ  第１の軸受け部
７２  第２の軸受け部
７４  第１の対物レンズ
７６  第２の対物レンズ
７８  ラック部
８０  取付部
８２  移動部
８４  接続部
８８，９０，９０Ａ，９２，９２Ａ  接続壁部
【図１】
2014216036.tif 000003
【図２】
2014216036.tif 000004
【図３Ａ】
2014216036.tif 000005
【図３Ｂ】
2014216036.tif 000006
【図４】
2014216036.tif 000007
【図５】
2014216036.tif 000008
【図６】
2014216036.tif 000009
【図７】
2014216036.tif 000010
【図８】
2014216036.tif 000011